(57)【要約】【課題】従来と比較し、大幅に施工性、経済性を向上させることが可能になり、且つ信頼性の高い鋼板コンクリート構造を構築することが可能な鋼板コンクリート構造及び鋼板コンクリート構造の施工方法を提供する。【解決手段】一対のプレキャスト鋼板コンクリートフレーム１、２と、一方のプレキャスト鋼板コンクリートフレーム１に取り付けて一面Ａ１を形成する複数の主鋼板３と、他方のプレキャスト鋼板コンクリートフレーム２に取り付けて他面Ａ２を形成する複数の主鋼板４と、主鋼板３、４の間の空間Ｈを充填するコンクリート５とを備える。【選択図】図３
2018044286.tif 000002
【特許請求の範囲】
【請求項１】
厚さ方向一面側と他面側に所定の間隔をあけて平行配置される一対のプレキャスト鋼板コンクリートフレームと、
一方のプレキャスト鋼板コンクリートフレームに取り付けて一面を形成する複数の一面側の主鋼板と、
他方のプレキャスト鋼板コンクリートフレームに取り付けて他面を形成する複数の他面側の主鋼板と、
前記一面側の主鋼板と前記他面側の主鋼板の間の空間を充填するように設けられて前記一対のプレキャスト鋼板コンクリートフレームと前記一面側の主鋼板と前記他面側の主鋼板を一体化するコンクリートとを備え、
前記一対のプレキャスト鋼板コンクリートフレームがそれぞれ、一対の側壁部と一対の側壁部の一端同士を繋ぐ底部とを備えた鋼製チャンネルの内部にコンクリートを一体に充填してなるプレキャスト鋼板コンクリート部材を複数組み付けて形成されていることを特徴とする鋼板コンクリート構造。
【請求項２】
請求項１記載の鋼板コンクリート構造の施工方法であって、
前記鋼板コンクリート構造が前記一面と前記他面を横方向に向けて構築される鉛直部材であり、
前記一方のプレキャスト鋼板コンクリートフレームと前記他方のプレキャスト鋼板コンクリートフレームを間隔をあけてそれぞれ所定位置に立設するプレキャスト鋼板コンクリートフレーム設置工程と、
前記プレキャスト鋼板コンクリートフレームのプレキャスト鋼板コンクリート部材に前記複数の主鋼板を取り付ける主鋼板設置工程と、
前記一面側の主鋼板と前記他面側の主鋼板の間の空間にコンクリートを打設して充填するコンクリート打設工程と、
前記プレキャスト鋼板コンクリート部材の底部に重なるように配された隣り合う主鋼板の外周縁同士を溶接する主鋼板溶接工程とを備えていることを特徴とする鋼板コンクリート構造の施工方法。
【請求項３】
請求項１記載の鋼板コンクリート構造の施工方法であって、
前記鋼板コンクリート構造が前記一面と前記他面を上下方向に向けて構築される水平部材であり、
前記プレキャスト鋼板コンクリート部材の底部を下方に向けて前記一方のプレキャスト鋼板コンクリートフレームを所定位置に配設するとともに、前記プレキャスト鋼板コンクリート部材の底部を下方に向けつつ前記一方のプレキャスト鋼板コンクリートフレームと上下方向に所定の間隔をあけて前記他方のプレキャスト鋼板コンクリートフレームを所定位置に配設するプレキャスト鋼板コンクリートフレーム設置工程と、
前記一方のプレキャスト鋼板コンクリートフレームの前記プレキャスト鋼板コンクリート部材に前記複数の主鋼板を取り付ける下面側主鋼板設置工程と、
前記下面側主鋼板設置工程によって取り付けられ、前記プレキャスト鋼板コンクリート部材の底部に重なるように配された隣り合う主鋼板の外周縁同士を溶接する下面側主鋼板溶接工程と、
前記一方のプレキャスト鋼板コンクリートフレームと前記他方のプレキャスト鋼板コンクリートフレームを埋設するように、前記下面側の主鋼板上にコンクリートを打設するコンクリート打設工程と、
前記コンクリート打設工程で打設したコンクリートが未硬化の段階で、前記他方のプレキャスト鋼板コンクリートフレームの前記プレキャスト鋼板コンクリート部材に前記複数の主鋼板を取り付ける上面側主鋼板設置工程と、
前記上面側主鋼板設置工程によって取り付けられ、前記プレキャスト鋼板コンクリート部材の底部に重なるように配された隣り合う主鋼板の外周縁同士を溶接する上面側主鋼板溶接工程とを備えていることを特徴とする鋼板コンクリート構造の施工方法。
【発明の詳細な説明】
【技術分野】
【０００１】
本発明は、外殻鋼板内にコンクリートを一体に充填してなる鋼板コンクリート構造及び鋼板コンクリート構造の施工方法に関する。
【背景技術】
【０００２】
鋼板コンクリート構造（ＳＣ構造）は、外殻となる主鋼板を型枠としてその内部にコンクリートを充填し、主鋼板の内面に植設したスタッドボルトを介して主鋼板とコンクリートを一体化して構成される。また、このような鋼板コンクリート構造は、大断面の頑強な構造部材を効率的に施工でき、さらに主鋼板を型枠として活用することで別途コンクリート打設用の型枠が不要になり、建設工期短縮、経済性の向上を図ることができる。
【０００３】
特に、鉄筋径が大きく、配筋が煩雑な鉄筋コンクリート構造で構築される原子炉建屋などの原子力施設に鋼板コンクリート構造を採用することにより、施工性、経済性の面でのメリットが期待できる（例えば、特許文献１参照）。
【先行技術文献】
【特許文献】
【０００４】
【特許文献１】特許第３３０９２９０号公報
【発明の概要】
【発明が解決しようとする課題】
【０００５】
一方、上記従来の鋼板コンクリート構造は、一般に、隣り合う主鋼板同士を全て溶接して複数の主鋼板で構造の一面や他面を形成した後にコンクリートを打設するようにしており、鋼板の溶接作業が施工上のクリティカルとなり施工の長期化を招く一要因となっていた。
【０００６】
また、先に鋼板を仮設部材で仮組みしてからコンクリートを打設し、コンクリートが硬化した後に鋼板同士を溶接することも考えられるが、上記のような従来の鋼板コンクリート構造では、溶接熱がコンクリートの物性に悪影響を与えるおそれがあった。
【０００７】
さらに、床などの水平部材を鋼板コンクリート構造で構築する場合には、水平部材の上部と下部に主鋼板が配設される（以下、フルＳＣ構造という）。そして、この場合には、上部の主鋼板にコンクリート打設用の開口や空気抜き開口が必要となり、施工手間が増える。また、上部の主鋼板の裏面にコンクリートとの肌隙（局所的な空隙）が生じやすく、上部の主鋼板に打設したスタッドの効きが悪くなるおそれもある。このため、施工管理にも多大な時間と労力が必要になる。
【０００８】
本発明は、上記事情に鑑み、従来と比較し、大幅に施工性、経済性を向上させることが可能になり、且つ信頼性の高い鋼板コンクリート構造を構築することが可能な鋼板コンクリート構造及び鋼板コンクリート構造の施工方法を提供することを目的とする。
【課題を解決するための手段】
【０００９】
上記の目的を達するために、この発明は以下の手段を提供している。
【００１０】
本発明の鋼板コンクリート構造は、厚さ方向一面側と他面側に所定の間隔をあけて平行配置される一対のプレキャスト鋼板コンクリートフレームと、一方のプレキャスト鋼板コンクリートフレームに取り付けて一面を形成する複数の一面側の主鋼板と、他方のプレキャスト鋼板コンクリートフレームに取り付けて他面を形成する複数の他面側の主鋼板と、前記一面側の主鋼板と前記他面側の主鋼板の間の空間を充填するように設けられて前記一対のプレキャスト鋼板コンクリートフレームと前記一面側の主鋼板と前記他面側の主鋼板を一体化するコンクリートとを備え、前記一対のプレキャスト鋼板コンクリートフレームがそれぞれ、一対の側壁部と一対の側壁部の一端同士を繋ぐ底部とを備えた鋼製チャンネルの内部にコンクリートを一体に充填してなるプレキャスト鋼板コンクリート部材を複数組み付けて形成されていることを特徴とする。
【００１１】
本発明の鋼板コンクリート構造の施工方法は、上記の鋼板コンクリート構造を構築する方法であって、前記鋼板コンクリート構造が前記一面と前記他面を横方向に向けて構築される鉛直部材であり、前記一方のプレキャスト鋼板コンクリートフレームと前記他方のプレキャスト鋼板コンクリートフレームを間隔をあけてそれぞれ所定位置に立設するプレキャスト鋼板コンクリートフレーム設置工程と、前記プレキャスト鋼板コンクリートフレームのプレキャスト鋼板コンクリート部材に前記複数の主鋼板を取り付ける主鋼板設置工程と、前記一面側の主鋼板と前記他面側の主鋼板の間の空間にコンクリートを打設して充填するコンクリート打設工程と、前記プレキャスト鋼板コンクリート部材の底部に重なるように配された隣り合う主鋼板の外周縁同士を溶接する主鋼板溶接工程とを備えていることを特徴とする。
【００１２】
本発明の鋼板コンクリート構造の施工方法は、上記の鋼板コンクリート構造を構築する方法であって、前記鋼板コンクリート構造が前記一面と前記他面を上下方向に向けて構築される水平部材であり、前記プレキャスト鋼板コンクリート部材の底部を下方に向けて前記一方のプレキャスト鋼板コンクリートフレームを所定位置に配設するとともに、前記プレキャスト鋼板コンクリート部材の底部を下方に向けつつ前記一方のプレキャスト鋼板コンクリートフレームと上下方向に所定の間隔をあけて前記他方のプレキャスト鋼板コンクリートフレームを所定位置に配設するプレキャスト鋼板コンクリートフレーム設置工程と、前記一方のプレキャスト鋼板コンクリートフレームの前記プレキャスト鋼板コンクリート部材に前記複数の主鋼板を取り付ける下面側主鋼板設置工程と、前記下面側主鋼板設置工程によって取り付けられ、前記プレキャスト鋼板コンクリート部材の底部に重なるように配された隣り合う主鋼板の外周縁同士を溶接する下面側主鋼板溶接工程と、前記一方のプレキャスト鋼板コンクリートフレームと前記他方のプレキャスト鋼板コンクリートフレームを埋設するように、前記下面側の主鋼板上にコンクリートを打設するコンクリート打設工程と、前記コンクリート打設工程で打設したコンクリートが未硬化の段階で、前記他方のプレキャスト鋼板コンクリートフレームの前記プレキャスト鋼板コンクリート部材に前記複数の主鋼板を取り付ける上面側主鋼板設置工程と、前記上面側主鋼板設置工程によって取り付けられ、前記プレキャスト鋼板コンクリート部材の底部に重なるように配された隣り合う主鋼板の外周縁同士を溶接する上面側主鋼板溶接工程とを備えていることを特徴とする。
【発明の効果】
【００１３】
本発明の鋼板コンクリート構造及び鋼板コンクリート構造の施工方法においては、鋼板の溶接作業が施工上のクリティカルになることがなく、その分、従来と比較し工期短縮を図ることが可能になる。
【００１４】
また、内部コンクリートが硬化した後に鋼板同士を溶接しても、溶接熱が内部コンクリートの物性に悪影響を与えるおそれがない。
【００１５】
さらに、床などのフルＳＣ構造の水平部材に適用した場合であっても、上部の主鋼板にコンクリートの打設用開口や空気抜き開口を設ける必要がなく、施工手間が減り、工期短縮を図ることが可能になる。
【００１６】
また、上部の鋼板の裏面にコンクリートとの肌隙が生じることがなく、上部の主鋼板に打設したスタッドの効きが悪くなるおそれもない。
【００１７】
よって、本発明の鋼板コンクリート構造及び鋼板コンクリート構造の施工方法によれば、従来と比較し、大幅に施工性、経済性を向上させることが可能になるとともに、信頼性の高い鋼板コンクリート構造を構築することが可能になる。
【図面の簡単な説明】
【００１８】
【図１】本発明の第１実施形態に係る鋼板コンクリート構造（プレキャスト鋼板コンクリートフレーム及び主鋼板）を示す正面図である。
【図２】図１のＸ１−Ｘ１線矢視図であり、本発明の一実施形態に係る鋼板コンクリート構造（プレキャスト鋼板コンクリートフレーム）を示す図である。
【図３】図１のＸ２−Ｘ２線矢視図であり、本発明の一実施形態に係る鋼板コンクリート構造（プレキャスト鋼板コンクリートフレーム、主鋼板、コンクリート）を示す断面図である。
【図４】図１のＸ３−Ｘ３線矢視図であり、本発明の一実施形態に係る鋼板コンクリート構造（プレキャスト鋼板コンクリートフレーム、主鋼板、コンクリート）を示す断面図である。
【図５】本発明の第２実施形態に係る鋼板コンクリート構造（プレキャスト鋼板コンクリートフレーム、主鋼板、コンクリート）を示す断面図である。
【発明を実施するための形態】
【００１９】
以下、図１から図４を参照し、本発明の第１実施形態に係る鋼板コンクリート構造及び鋼板コンクリート構造の施工方法について説明する。ここで、本実施形態は、本発明に係る鋼板コンクリート構造を壁（鉛直部材）に適用するものとして説明を行う。
【００２０】
本実施形態の鋼板コンクリート構造Ａは、図１、図２、図３、図４に示すように、壁の幅方向Ｔ１に所定の間隔をあけて一面Ａ１側と他面Ａ２側に並行に配設されるプレキャスト鋼板コンクリートフレーム１、２と、一方のプレキャスト鋼板コンクリートフレーム１に一体に取り付けて壁の一面Ａ１を形成する複数の一面側の主鋼板（外殻鋼板）３と、他方のプレキャスト鋼板コンクリートフレーム２に一体に取り付けて壁の他面Ａ２を形成する複数の他面側の主鋼板（外殻鋼板）４と、一面Ａ１側の主鋼板３と他面Ａ２側の主鋼板４の間の空間Ｈに充填されるコンクリート（中詰めコンクリート）５とを備えて構成されている。
【００２１】
プレキャスト鋼板コンクリートフレーム１、２は、プレキャスト鋼板コンクリート部材６を縦材、横材として複数組み付け、平面視格子状等の方形枠状の盤状に形成されている。
【００２２】
縦材、横材を構成する各プレキャスト鋼板コンクリート部材６は、一対の側壁部７ａと一対の側壁部７ａの一端同士を繋ぐ底部７ｂとを備えた断面略コ字状、断面略Ｃ字状などの鋼製チャンネル７の内部にコンクリート８を一体に充填して形成されている。
【００２３】
また、それぞれの鋼製チャンネル７の底部７ｂが同方向を向き、同一平面を形成するように複数のプレキャスト鋼板コンクリート部材６を組み付けて、プレキャスト鋼板コンクリートフレーム１、２は形成されている。
【００２４】
プレキャスト鋼板コンクリートフレーム１、２は、縦材、横材としての複数のプレキャスト鋼板コンクリート部材６を主鋼板３、４の外周縁に対応する所定の位置に配設して形成されている。隣り合うプレキャスト鋼板コンクリート部材６同士の端部同士等は、例えばガセットプレートを介したボルト接合などによって接合して組み付けられている。また、隣り合うプレキャスト鋼板コンクリート部材６同士をタイロッドで接続するようにしてもよい。
【００２５】
各プレキャスト鋼板コンクリート部材６の側壁部７ａには、所定の間隔をあけて複数のスタッドボルト１０が植設されている。さらに、少なくとも一部のプレキャスト鋼板コンクリート部材６には、底部７ｂと反対側の面から外側に突出してタイバー１１が一体に取り付けられている。
【００２６】
各プレキャスト鋼板コンクリート部材６の底部７ｂには、所定位置に底部７ｂが形成する面から外側に軸部を突出させるようにして複数の主鋼板取付用のボルト１２が一体に取り付けられている。
【００２７】
そして、本実施形態の鋼板コンクリート構造Ａの壁を構築する際には（本実施形態の鋼板コンクリート構造の施工方法においては）、まず、一方のプレキャスト鋼板コンクリートフレーム１と他方のプレキャスト鋼板コンクリートフレーム２をそれぞれ、所定の間隔Ｈをあけつつ互いの複数のプレキャスト鋼板コンクリート部材６の底部７ｂの一面が壁の一面Ａ１側と他面Ａ２側にそれぞれ配されるように所定位置に対向配置して立設する（プレキャスト鋼板コンクリートフレーム設置工程）。
【００２８】
このように所定の間隔Ｈをあけて、一方のプレキャスト鋼板コンクリートフレーム１と他方のプレキャスト鋼板コンクリートフレーム２を対向配置して立設した段階で、一方のプレキャスト鋼板コンクリートフレーム１のプレキャスト鋼板コンクリート部材６から突出した複数のタイバー１１と、他方のプレキャスト鋼板コンクリートフレーム２のプレキャスト鋼板コンクリート部材６から突出した複数のタイバー１１の互いに対向する一対のタイバー１１同士を長ナット１３を用いて接続する。
【００２９】
これにより、一方のプレキャスト鋼板コンクリートフレーム１と他方のプレキャスト鋼板コンクリートフレーム２を、複数のタイバー１１により所定の間隔をあけて立設した状態で保持することができる。
【００３０】
なお、一方のプレキャスト鋼板コンクリートフレーム１と他方のプレキャスト鋼板コンクリートフレーム２は、タイバー１１ではなく形鋼あるいは鉄骨トラス等を介して所定の間隔Ｈをあけて立設するように一体に接続してもよい。そして、タイバー１１に替えて形鋼や鉄骨トラスで一対のプレキャスト鋼板コンクリートフレーム１、２を接続すると、フレーム１、２の自立性や後述のコンクリート打設時のたわみ抵抗性を高めることができる。
【００３１】
一方のプレキャスト鋼板コンクリートフレーム１と他方のプレキャスト鋼板コンクリートフレーム２を立設した段階で、一方のプレキャスト鋼板コンクリートフレーム１の一面、他方のプレキャスト鋼板コンクリートフレーム２の他面にそれぞれ、壁の一面Ａ１と他面Ａ２をそれぞれ形成する複数の主鋼板（外殻鋼板）３、４を取り付ける（主鋼板設置工程）。
【００３２】
ここで、本実施形態の主鋼板３、４には、予め、外周縁に複数のボルト挿通孔が所定の間隔をあけて貫通形成されている。また、主鋼板３、４には、複数のスタッドボルト１０が内面の所定の位置に植設されている。
【００３３】
これにより、各プレキャスト鋼板コンクリートフレーム１、２の縦材、横材としての各プレキャスト鋼板コンクリート部材６が各主鋼板３、４の外周縁に応じた位置に配設されると、主鋼板３、４の外周縁がプレキャスト鋼板コンクリート部材６の底部７ｂと重なる。このとき、主鋼板３、４を所定位置に配置するとともに主鋼板３、４のボルト挿通孔にプレキャスト鋼板コンクリート部材６の底部７ｂから外側に突設されたボルト１２の軸部を挿通し、ナットを締結することによって、各主鋼板３、４を各プレキャスト鋼板コンクリートフレーム１、２の一面、他面にそれぞれ一体に取り付けることができる（仮設置することができる）。
【００３４】
また、一方のプレキャスト鋼板コンクリートフレーム１の一面、他方のプレキャスト鋼板コンクリートフレーム２の他面にそれぞれ、隣り合う主鋼板３、４の外周縁同士が突き合わされるように複数の主鋼板３、４が並設して取り付けられる。これにより、複数の主鋼板３、４によって壁の一面Ａ１、他面Ａ２がそれぞれ形成されるとともに、一面Ａ１、他面Ａ２をそれぞれ形成する複数の主鋼板３、４によって、その内側にコンクリート打設空間Ｈが形成される。また、主鋼板３、４の内面に植設された複数のスタッドボルト１０がコンクリート打設空間Ｈ内に配設される。
【００３５】
壁の一面Ａ１、他面Ａ２を形成する複数の主鋼板３、４を設置した段階で、これら主鋼板３、４を型枠にした形でコンクリート打設空間Ｈにコンクリート５を打設する（コンクリート打設工程）。これにより、打設したコンクリート５が硬化するとともに、一対のプレキャスト鋼板コンクリートフレーム１、２と複数の主鋼板３、４とコンクリート５がスタッドボルト１０等を介して一体化する。
【００３６】
そして、本実施形態の鋼板コンクリート構造Ａの施工方法では、このようにコンクリート５を打設した段階で、隣り合う主鋼板３、４の互いに突き合わされた外周縁同士を溶接する（主鋼板溶接工程）。このとき、各主鋼板３、４の外周縁がプレキャスト鋼板コンクリート部材６の鋼製チャンネル７の底部７ｂと重なっているため、溶接時の熱でコンクリート５に悪影響が生じるおそれがない。
【００３７】
したがって、本実施形態の鋼板コンクリート構造Ａ及び鋼板コンクリート構造Ａの施工方法においては、主鋼板３、４の溶接作業が施工上のクリティカルになることがなく、その分、従来と比較し工期短縮を図ることが可能になる。
【００３８】
また、内部コンクリート５が硬化した後に主鋼板３、４同士を溶接しても、溶接熱が内部コンクリート５の物性に悪影響を与えるおそれがない。
【００３９】
よって、本実施形態の鋼板コンクリート構造Ａ及び鋼板コンクリート構造Ａの施工方法によれば、従来と比較し、大幅に施工性、経済性を向上させることが可能になるとともに、信頼性の高い鋼板コンクリート構造Ａの壁を構築することが可能になる。
【００４０】
次に、図５（及び図１から図４）を参照し、本発明の第２実施形態に係る鋼板コンクリート構造及び鋼板コンクリート構造の施工方法について説明する。ここで、本実施形態は、本発明に係る鋼板コンクリート構造を床（水平部材）に適用するものとして説明を行う。また、第１実施形態と同様の構成については同一符号を付し、その説明を省略する。
【００４１】
本実施形態の鋼板コンクリート構造Ａは、床の下面Ａ１側と上面Ａ２側（厚さ方向Ｔ１一面側と他面側）に並行に配設されるプレキャスト鋼板コンクリートフレーム１、２と、下方の一方のプレキャスト鋼板コンクリートフレーム１に一体に取り付けて床の下面Ａ１を形成する複数の下面側の主鋼板（外殻鋼板）３と、上方の他方のプレキャスト鋼板コンクリートフレーム２に一体に取り付けて床の上面Ａ２を形成する複数の上面側の主鋼板（外殻鋼板）４と、上面側の主鋼板４と下面側の主鋼板３の間Ｈに充填されるコンクリート５とを備えて構成されている。
【００４２】
プレキャスト鋼板コンクリートフレーム１、２は、第１実施形態と同様に、プレキャスト鋼板コンクリート部材６を縦材、横材として複数組み付け、平面視格子状等の方形枠状の盤状に形成されている。各プレキャスト鋼板コンクリート部材６は、断面略コ字状、断面略Ｃ字状などの鋼製チャンネル７の内部にコンクリート８を一体に充填して形成されている。
【００４３】
そして、本実施形態の鋼板コンクリート構造Ａの床を構築する際には（本実施形態の鋼板コンクリート構造Ａの施工方法においては、まず、下方の一方のプレキャスト鋼板コンクリートフレーム１を所定位置に設置する（プレキャスト鋼板コンクリートフレーム設置工程）。このとき、一方のプレキャスト鋼板コンクリートフレーム１の複数のプレキャスト鋼板コンクリート部材６の底部７ｂによって形成される下面が床の下面Ａ１側に配されるように水平に配設する。
【００４４】
さらに、下方の一方のプレキャスト鋼板コンクリートフレーム１の上方に、上方の他方のプレキャスト鋼板コンクリートフレーム２を、所定の間隔Ｈをあけつつ複数のプレキャスト鋼板コンクリート部材６の底部７ｂによって形成される上面が床の上面Ａ２側に配されるように所定位置に対向配置して設置する（プレキャスト鋼板コンクリートフレーム設置工程）。
【００４５】
これとともに、下方の一方のプレキャスト鋼板コンクリートフレーム１のプレキャスト鋼板コンクリート部材６から突出した複数のタイバー１１と、上方の他方のプレキャスト鋼板コンクリートフレーム２のプレキャスト鋼板コンクリート部材６から突出した複数のタイバー１１の互いに対向する一対のタイバー１１同士を長ナット１３を用いて接続する。
【００４６】
これにより、一方のプレキャスト鋼板コンクリートフレーム１と他方のプレキャスト鋼板コンクリートフレーム２を、複数のタイバー１１により所定の間隔を上下方向（厚さ方向Ｔ１）にあけて配設した状態で保持することができる。
【００４７】
なお、第１実施形態と同様、一方のプレキャスト鋼板コンクリートフレーム１と他方のプレキャスト鋼板コンクリートフレーム２は、タイバー１１ではなく形鋼あるいは鉄骨トラス等を介して所定の間隔をあけて立設するように一体に接続してもよい。そして、タイバー１１に替えて形鋼や鉄骨トラスで一対のプレキャスト鋼板コンクリートフレーム１、２を接続すると、フレーム１、２の自立性やコンクリート打設時のたわみ抵抗性を高めることができる。
【００４８】
このように一方のプレキャスト鋼板コンクリートフレーム１と他方のプレキャスト鋼板コンクリートフレーム２を所定位置に配設した段階で、一方のプレキャスト鋼板コンクリートフレーム１の下面に、床の下面Ａ１を形成する複数の主鋼板（外殻鋼板）３を取り付ける。
【００４９】
ここで、本実施形態の主鋼板３（４）には、外周縁に複数のボルト挿通孔が所定の間隔をあけて貫通形成され、且つ、複数のスタッドボルト１０が内面の所定の位置に植設されている。
【００５０】
これにより、下方の一方のプレキャスト鋼板コンクリートフレーム１の縦材、横材としての各プレキャスト鋼板コンクリート部材６が各主鋼板３の外周縁に応じた位置に配設され、各主鋼板３を所定の取付位置に配置すると、主鋼板３の外周縁がプレキャスト鋼板コンクリート部材６の底部７ｂと重なる。このとき、主鋼板３を所定位置に配置するとともに主鋼板３のボルト挿通孔にプレキャスト鋼板コンクリート部材６の底部７ｂから外側に突設されたボルト１２の軸部を挿通し、ナットを締結することによって、各主鋼板３を一方のプレキャスト鋼板コンクリートフレーム１の下面に一体に取り付けることができる（下面側主鋼板設置工程）。
【００５１】
そして、本実施形態の鋼板コンクリート構造の施工方法では、この段階で、隣り合う主鋼板３の互いに突き合わされた外周縁同士を溶接する（下面側主鋼板溶接工程）。
【００５２】
これにより、複数の主鋼板３によって床の下面Ａ１が形成されるとともに、下面Ａ１を形成する複数の主鋼板３によって、その内側（上方）にコンクリート打設空間Ｈが形成される。また、主鋼板３の内面（上面）に植設された複数のスタッドボルト１０がコンクリート打設空間Ｈ内に配設される。
【００５３】
これら主鋼板３を型枠にした形でコンクリート打設空間Ｈにコンクリート５を打設する（コンクリート打設工程）。このとき、コンクリート５の天端（上面）が上方の他方のプレキャスト鋼板コンクリートフレーム２の上面と上下方向の略同位置になるようにコンクリート５を打設する。これにより、一対のプレキャスト鋼板コンクリートフレーム１、２が打設したコンクリート５に埋設した状態となる。
【００５４】
そして、本実施形態では、コンクリート５の打設を完了するとともに、すなわち、コンクリート５が硬化していないフレッシュコンクリートの状態の段階で、上方の他方のプレキャスト鋼板コンクリートフレーム２に主鋼板４を設置する（上面側主鋼板設置工程）。このとき、主鋼板４の下面に植設したスタッドボルト１０をフレッシュコンクリート５に貫入するようにして主鋼板４を配設する。また、これとともに、バイブレータによって振動を与え、主鋼板４及びスタッドボルト１０とコンクリート５を密着させる。
【００５５】
このようにして他方のプレキャスト鋼板コンクリートフレーム２の上面に、隣り合う主鋼板４の外周縁同士が突き合わされるように複数の主鋼板４を並設することにより、複数の主鋼板４によって床の上面Ａ２が形成される。
【００５６】
これにより、打設したコンクリート５が硬化するとともに、一対のプレキャスト鋼板コンクリートフレーム１、２と複数の主鋼板３、４とコンクリート５がスタッドボルト１０等を介して一体化する。
【００５７】
そして、本実施形態の鋼板コンクリート構造Ａの施工方法では、このようにコンクリート５を打設した段階で、隣り合う主鋼板４の互いに突き合わされた外周縁同士を溶接する（上面側主鋼板溶接工程）。このとき、各主鋼板４の外周縁がプレキャスト鋼板コンクリート部材６の鋼製チャンネル７の底部７ｂと重なっているため、溶接時の熱でコンクリート５に悪影響が生じるおそれがない。
【００５８】
したがって、本実施形態の鋼板コンクリート構造Ａ及び鋼板コンクリート構造Ａの施工方法においては、主鋼板３、４の溶接作業が施工上のクリティカルになることがなく、その分、従来と比較し工期短縮を図ることが可能になる。
【００５９】
また、内部コンクリート５が硬化した後に主鋼板４同士を溶接しても、溶接熱が内部コンクリート５の物性に悪影響を与えるおそれがない。
【００６０】
さらに、床などのフルＳＣ構造の水平部材に適用した場合であっても、上部の主鋼板４にコンクリート５の打設用開口や空気抜き開口を設ける必要がなく、施工手間が減り、工期短縮を図ることが可能になる。
【００６１】
また、上部の鋼板４の裏面にコンクリート５との肌隙が生じることがなく、上部鋼板４に打設したスタッド１０の効きが悪くなるおそれもない。
【００６２】
よって、本実施形態の鋼板コンクリート構造Ａ及び鋼板コンクリート構造Ａの施工方法によれば、従来と比較し、大幅に施工性、経済性を向上させることが可能になるとともに、信頼性の高い鋼板コンクリート構造Ａの床等の水平部材を構築することが可能になる。
【００６３】
以上、本発明に係る鋼板コンクリート構造の第１、第２実施形態について説明したが、本発明は上記の第１、第２実施形態に限定されるものではなく、その趣旨を逸脱しない範囲で適宜変更可能である。
【符号の説明】
【００６４】
１      一方のプレキャスト鋼板コンクリートフレーム
２      他方のプレキャスト鋼板コンクリートフレーム
３      主鋼板
４      主鋼板
５      コンクリート
６      プレキャスト鋼板コンクリート部材
７      鋼製チャンネル
７ａ    側壁部
７ｂ    底部
８      コンクリート
１０    スタッド
１１    タイバー
１２    ボルト
１３    長ナット
Ａ      鋼板コンクリート構造
Ａ１    一面
Ａ２    他面
Ｔ１    厚さ方向
【図１】
2018044286.tif 000003
【図２】
2018044286.tif 000004
【図３】
2018044286.tif 000005
【図４】
2018044286.tif 000006
【図５】
2018044286.tif 000007